【手続補正書】
【提出日】平成26年5月15日(2014.5.15)
【手続補正１】
【補正対象書類名】特許請求の範囲
【補正対象項目名】全文
【補正方法】変更
【補正の内容】
【特許請求の範囲】
【請求項１】
流体を吸収するためのパーソナル衛生物品であって：
少なくとも１つの流体浸透性の最上部シート層及び少なくとも１つの実質的に流体不浸透性の背面シート層；並びに該最上部シート層と該背面シート層との間に挿入された、処理済みリグノセルロース材料を含む吸収性下位層材料を含み、
該下位層材料は、約１０cps未満の粘度を有し、かつアルデヒド官能基、ヘミアセタール官能基及びこれらの組合せよりなる群から選択される官能基を有し、
該処理済みリグノセルロース材料は、
リグノセルロース材料を、約２〜約６の範囲のｐＨにおいて該リグノセルロース材料の０．５〜５重量％の酸化剤の存在下で、該リグノセルロース材料の０．０１〜0.1重量％の触媒を加えることによって処理して、該処理済みリグノセルロース材料をその後のリファイニングなしで形成することを含む方法によって製造され、ここで該触媒は、鉄、亜鉛、コバルト、ニッケル、マンガン、タングステン、ジルコニウム、セリウム、クロム及びこれらの組合せよりなる群から選択される遷移金属を含み、そして該酸化剤は過酸化水素、次亜塩素酸塩、次亜塩素酸及びこれらの任意の組合せよりなる群から選択される、
パーソナル衛生物品。
【請求項２】
該処理済みリグノセルロース系材料は木材パルプである、請求項１に記載の流体を吸収するためのパーソナル衛生物品。
【請求項３】
該処理済みリグノセルロース系材料は、銅価約３以上を有する、請求項１に記載の流体を吸収するためのパーソナル衛生物品。
【請求項４】
該処理済みリグノセルロース系材料は、銅価約４．４以上を有する、請求項１に記載の流体を吸収するためのパーソナル衛生物品。
【請求項５】
該処理済みリグノセルロース系材料は、銅価約５以上を有する、請求項１に記載の流体を吸収するためのパーソナル衛生物品。
【請求項６】
該処理済みリグノセルロース系材料は、銅価約５．５以上を有する、請求項１１に記載の流体を吸収するためのパーソナル衛生物品。
【請求項７】
該処理済みリグノセルロース系材料は、約３．５meq／１００グラムのオーブン乾燥した処理済み材料以上のカルボキシ価を有する、請求項１に記載の流体を吸収するためのパーソナル衛生物品。
【請求項８】
該処理済みリグノセルロース系材料は、約４meq／１００グラムのオーブン乾燥した処理済み材料以上のカルボキシ価を有する、請求項１に記載の流体を吸収するためのパーソナル衛生物品。
【請求項９】
該処理済みリグノセルロース系材料は、約５meq／１００グラムのオーブン乾燥した処理済み材料以上のカルボキシ価を有する、請求項１に記載の流体を吸収するためのパーソナル衛生物品。
【請求項１０】
該処理済みリグノセルロース系材料は、約５．５meq／１００グラムのオーブン乾燥した処理済み材料以上のカルボキシ価を有する、請求項１５に記載の流体を吸収するためのパーソナル衛生物品。
【請求項１１】
フラッフ化塩基処理済み木材パルプを含む吸収性材料であって：
フラッフ化塩基処理済み木材パルプが、処理済みリグノセルロース系材料を乾式粉砕することによって製造され、
該処理済みリグノセルロース材料は、
リグノセルロース材料を、約２〜約６の範囲のｐＨにおいてリグノセルロース材料の０．５〜５重量％の酸化剤の存在下で、リグノセルロース材料の０．０１〜0.1重量％の触媒を加えることによって処理して、該処理済みリグノセルロース材料を該処理工程後の精製なしで形成することを含む方法によって製造され、ここで該触媒は、鉄、亜鉛、コバルト、ニッケル、マンガン、タングステン、ジルコニウム、セリウム、クロム及びこれらの組合せよりなる群から選択される遷移金属を含み、そして該酸化剤は過酸化水素、次亜塩素酸塩、次亜塩素酸及びこれらの任意の組合せからなる群から選択される、
吸収性材料。
【請求項１２】
該処理済みのリグノセルロース系材料は、銅価約３以上を有する、請求項１１に記載の吸収性材料。
【請求項１３】
該処理済みのリグノセルロース系材料は、銅価約４．４以上を有する、請求項１１に記載の吸収性材料。
【請求項１４】
該処理済みのリグノセルロース系材料は、銅価約５以上を有する、請求項１１に記載の吸収性材料。
【請求項１５】
該処理済みのリグノセルロース系材料は、銅価約５．５以上を有する、請求項１１に記載の吸収性材料。
【請求項１６】
該処理済みのリグノセルロース系材料は、約３．５meq／１００グラムのオーブン乾燥した処理済み材料以上のカルボキシ価を有する、請求項１１に記載の流体を吸収するための吸収性材料。
【請求項１７】
該処理済みのリグノセルロース系材料は、約４meq／１００グラムのオーブン乾燥した処理済み材料以上のカルボキシ価を有する、請求項１１に記載の流体を吸収するためのパーソナル衛生物品。
【請求項１８】
該処理済みのリグノセルロース系材料は、約５meq／１００グラムのオーブン乾燥した処理済み材料以上のカルボキシ価を有する、請求項１１に記載の流体を吸収するための吸収性材料。
【請求項１９】
該処理済みリグノセルロース系材料は、約５．５meq／１００グラムのオーブン乾燥した処理済み材料以上のカルボキシ価を有する、請求項１１に記載の流体を吸収するための吸収性材料。
【請求項２０】
パーソナル衛生物品のために有用な吸収性複合体であって：
少なくとも１つの流体浸透性の最上部シート層及び少なくとも１つの実質的に流体不浸透性の背面シート層、並びに
該最上部シート層と該背面シート層との間に挿入された、請求項１１に記載の吸収性材料
を含む、吸収性複合材料。
【請求項２１】
流体を吸収するためのパーソナル衛生物品であって：
少なくとも１つの流体浸透性の最上部シート層及び少なくとも１つの実質的に流体不浸透性の背面シート層；並びに該最上部シート層と該背面シート層との間に挿入された吸収性下位層材料を含み、
該下位層材料は処理済みで漂白済みのクラフトパルプを含み、該処理済みで漂白済みのクラフトパルプは粘度約１０cps以下を有し、そして過酸化水素、二酸化塩素、次亜塩素酸塩、および次亜塩素酸からなる群から選択される少なくとも１種の酸化剤の存在下で少なくとも１種の遷移金属触媒を用いて１〜９の範囲のｐＨでクラフトパルプを処理することを含む方法によって製造されている、物品。
【請求項２２】
該処理済みで漂白済みのクラフトパルプは、銅価約３以上を有する、請求項２１に記載の流体を吸収するためのパーソナル衛生物品。
【請求項２３】
該処理済みで漂白済みのクラフトパルプは、銅価約４．４以上を有する、請求項２１に記載の流体を吸収するためのパーソナル衛生物品。
【請求項２４】
該処理済みで漂白済みのクラフトパルプは、銅価約５以上を有する、請求項２１に記載の流体を吸収するためのパーソナル衛生物品。
【請求項２５】
該処理済みで漂白済みのクラフトパルプは、銅価約５．５以上を有する、請求項２１に記載の流体を吸収するためのパーソナル衛生物品。
【請求項２６】
該処理済みで漂白済みのクラフトパルプは、約３．５meq／１００グラムのオーブン乾燥した処理済み材料以上のカルボキシ価を有する、請求項２１に記載の流体を吸収するためのパーソナル衛生物品。
【請求項２７】
該処理済みで漂白済みのクラフトパルプは、約４meq／１００グラムのオーブン乾燥した処理済み材料以上のカルボキシ価を有する、請求項２１に記載の流体を吸収するためのパーソナル衛生物品。
【請求項２８】
該処理済みで漂白済みのクラフトパルプは、約５meq／１００グラムのオーブン乾燥した処理済み材料以上のカルボキシ価を有する、請求項２１に記載の流体を吸収するための吸収性材料。
【請求項２９】
該処理済みで漂白済みのクラフトパルプは、約５．５meq／１００グラムのオーブン乾燥した処理済み材料以上のカルボキシ価を有する、請求項２１に記載の流体を吸収するためのパーソナル衛生物品。
【請求項３０】
少なくとも１種の遷移金属触媒が、銅及び鉄のうちの少なくとも１種を含む、請求項２１に記載の流体を吸収するためのパーソナル衛生物品。
【請求項３１】
少なくとも１種の酸化剤が過酸化水素である、請求項２１に記載の流体を吸収するためのパーソナル衛生物品。
【請求項３２】
該処理済みで漂白済みのクラフトパルプが、酸化剤の存在下で少なくとも１種の該遷移金属触媒を用いて２〜６の範囲のｐＨでクラフトパルプを処理することを含む方法によって製造されている、請求項２１に記載の流体を吸収するためのパーソナル衛生物品。
【請求項３３】
少なくとも１種の遷移金属触媒が鉄を含む、請求項２１に記載の流体を吸収するためのパーソナル衛生物品。
【請求項３４】
該処理済みで漂白済みのクラフトパルプが約１〜約１０cpsの粘度を有する、請求項２１に記載の流体を吸収するためのパーソナル衛生物品。
【請求項３５】
該処理済みで漂白済みのクラフトパルプが約２〜約７cpsの粘度を有する、請求項２１に記載の流体を吸収するためのパーソナル衛生物品。